(57)【要約】【課題】駆動基板を筐体から露出する素子の搭載先として有効活用する。【解決手段】筐体に収容した液晶パネル１６の画面を外部に露見させた液晶テレビジョン１００において、基板ＡからＬＶＤＳケーブルを介して液晶パネル１６のデータ線の駆動データを入力されており、データ線にフレキシブル基板を介して接続されたソース基板Ｃ１を備え、ソース基板Ｃ１は、筐体から露出される素子（前記液晶パネルを除く）が搭載されており、筐体から露出される素子搭載された面を筐体前面の内側面に向けて配置されており、筐体の前面には前記素子を外部に露出させる孔が形成されている。【選択図】図４
2010139771.tif 000002
【特許請求の範囲】
【請求項１】
筐体に収容した液晶パネルの画面を外部に露見させた液晶表示装置において、
主基板から第１のケーブルを介して前記液晶パネルの駆動線の駆動データを入力されており、前記駆動線に第２のケーブルを介して接続された基板を備え、
前記基板は、前記筐体から露出される素子（前記液晶パネルを除く）が搭載されており、前記筐体から露出される素子が搭載された面を前記筐体の前面の内側面に向けて配置されており、
前記筐体の前面には前記素子を外部に露出させるための孔が形成されていることを特徴とする液晶表示装置。
【請求項２】
前記素子は、光学素子であることを特徴とする請求項１に記載の液晶表示装置。
【請求項３】
前記光学素子は、発光ダイオードであり、本装置の起動状態を該発光ダイオードの点滅で表示する請求項２に記載の液晶表示装置。
【請求項４】
前記光学素子は、赤外線受光素子であり、
本装置は、前記赤外線受光素子の受光した赤外線点滅信号に基づいて本装置を制御する手段を備える請求項２または請求項３に記載の液晶表示装置。
【請求項５】
前記光学素子は、光センサであり、
本装置は、前記光センサの受光量に応じて本装置を制御する手段を備える請求項２〜請求項４の何れか１項に記載の液晶表示装置。
【請求項６】
前記基板は、多層基板であり、
前記光学素子は、表面実装型の素子である請求項２〜請求項５の何れか１項に記載の液晶表示装置。
【請求項７】
前記素子は、外部入出力端子である請求項１〜請求項６の何れか一項に記載の液晶表示装置。
【請求項８】
前記素子は、本装置の主電源のオン／オフを切換えるスイッチである請求項１〜請求項７の何れか１項に記載の液晶表示装置。
【請求項９】
前記基板は前記第２のケーブルとしてのフレキシブル基板を介して前記液晶パネルのデータ線に接続されており、前記フレキシブル基板にはＣＯＦ（Chip On Film）方式で前記データ線の駆動ドライバＩＣが搭載されている請求項１〜請求項８の何れか１項に記載の液晶表示装置。
【請求項１０】
前記基板は、前記液晶パネルの下面側に配置されている請求項１〜請求項９の何れか１項に記載の液晶表示装置。
【請求項１１】
前記基板は前記第２のケーブルとしてのフレキシブル基板を介して前記液晶パネルのゲート線に接続されており、前記フレキシブル基板にはＣＯＦ（Chip On Film）方式で前記ゲート線の駆動ドライバＩＣが搭載されている請求項１〜請求項１０の何れか１項に記載の液晶表示装置。
【請求項１２】
前記液晶パネルは、該液晶パネルの光源とともに箱状の金属ケースに収容された状態で前記筐体に収容され、該金属ケースによって前記画面以外を覆われており、
前記金属ケースには前記第２のケーブルを前記金属ケースから導出するための切欠きが形成されている請求項１〜請求項１１の何れか１項に記載の液晶表示装置。
【請求項１３】
前記基板は、前記液晶パネルの下面側に配置される多層基板であり、
前記素子は、表面実装型の発光ダイオードと赤外線受光素子であり、
前記発光ダイオードは、本装置の起動状態を該発光ダイオードの点滅で表示し、
本装置は、前記赤外線受光素子の受光した赤外線点滅信号に基づいて本装置を制御する手段を備え、
前記基板は前記第２のケーブルとしてのフレキシブル基板を介して前記液晶パネルのデータ線に接続されており、前記フレキシブル基板にはＣＯＦ（Chip On Film）方式で前記データ線の駆動ドライバＩＣが搭載されており、
前記液晶パネルは、該液晶パネルの光源とともに箱状の金属ケースに収容された状態で前記筐体に収容され、該金属ケースによって前記画面以外を覆われており、
前記金属ケースには前記第２のケーブルを前記金属ケースから導出するための切欠きが形成されており、
本装置においては、チューナから入力された放送信号に基づいて上記液晶パネルの画面に映像表示する請求項１に記載の液晶表示装置。
【発明の詳細な説明】
【技術分野】
【０００１】
本発明は液晶表示装置に関し、特に筐体内部に収容した液晶パネルの画面を前記筐体の前面に形成された矩形窓から外部に露見させた液晶表示装置に関する。
【背景技術】
【０００２】
製品開発においてコストダウンは常に要求される課題であり、同時に性能の維持もしくは向上も求められる。液晶表示装置においても様々な角度からコストダウンが検討されており、部品の共通化、組立て作業工数の削減による開発効率向上、等の工夫が日々積み重ねられている。
【０００３】
部品共通化の工夫の一例として、特許文献１には、テレビ受信回路と液晶パネル駆動装置とを同一基板に実装した液晶テレビの構成が開示されている。特許文献２には、タイミングジェネレータ、垂直ドライバ、水平ドライバ、信号処理回路、電圧変換回路、を液晶表示面が形成配設されるガラス基板の液晶表示面の周辺部にＣＯＧ（Chip On Glass）で直接実装することについて開示されている。特許文献３には、液晶ガラスにコントローラ／ベアチップと、外光検出用の受光素子とを実装した液晶モジュールについて開示されている。
【特許文献１】特開昭58-172977号公報
【特許文献２】特開平11-88803号公報
【特許文献３】特開平8-9010号公報
【発明の開示】
【発明が解決しようとする課題】
【０００４】
ところで、液晶パネルは、バックライトやソースドライバ基板、ゲートドライバ基板等を組み込んだ状態で、液晶モジュールとして生産されることが多い。すなわち、液晶モジュールとしてコンポーネント化することにより、汎用的な液晶モジュールが生産可能になるし、液晶モジュール生産工程と液晶表示装置組立工程とを分けることにより製造ラインの長大化を防止できるからである。このような背景から、液晶モジュールは、液晶モジュール単体で最も低コストで生産可能な形に最適化される傾向がある。
【０００５】
低コストに向けて最適化された液晶モジュールの一例として、液晶パネルやバックライトの上面側にソースドライバ基板が配置された状態でこれらを金属性フレームに収納したものがある。予めモジュール単体で最適化された液晶モジュールにおいては、液晶パネルのデータ線やソース線等の駆動線の駆動回路を搭載した基板が液晶パネルの幅と略同一の幅を有する必要がある。そのため、基板の配線密度が低くなりがちであり、基板を有効活用しているとは言えなかった。
【０００６】
本発明においては、液晶パネルを駆動するための回路が搭載された基板の有効活用を提案し、開発効率の向上およびコストダウン可能な液晶表示装置の提供を目的とする。
【課題を解決するための手段】
【０００７】
前記課題を解決するために、本発明の請求項１にかかる液晶表示装置では、筐体に収容した液晶パネルの画面を外部に露見させた液晶表示装置において、主基板から第１のケーブルを介して前記液晶パネルの駆動線の駆動データを入力されており、前記駆動線に第２のケーブルを介して接続された基板を備え、前記基板は、前記筐体から露出される素子（前記液晶パネルを除く）が搭載されており、前記筐体から露出される素子が搭載された面を前記筐体の前面の内側面に向けて配置されており、前記筐体の前面には前記素子を外部に露出させるための孔が形成されている構成としてある。
【０００８】
前記構成において、前記主基板には映像信号に基づいて前記液晶パネルを駆動する駆動データを生成する回路が搭載されている。該回路にて生成された駆動データは、前記第１ケーブルを介して前記基板に出力される。ここで駆動データとは、少なくとも前記液晶パネルを構成する複数の液晶素子の何れを開口させるかを示す情報と開口させるタイミングを示す情報とを含むものであり、液晶素子の開口率を示す情報を含んでもよい。開口率を示す情報とは、いわゆる階調データに相当する。前記液晶パネルと前記基板とは前記第２のケーブルを介して接続されており、該第２のケーブルを介して伝送される前記駆動データに基づいて前記液晶パネルが駆動される。
以上のように構成された基板には、前記筐体から外部に露出する素子が搭載される。この素子の実装された面は、前記筐体の前面の内側面に向けて該内側面と略平行になるように配置されている。以上の構成によれば、前記基板を前記素子の搭載先として有効活用し、基板数量を減少してコストダウンと開発効率の向上とを実現可能となる。
【０００９】
本発明の選択的な一態様として、前記筐体から外部に露出する素子は、光学素子としてもよい。この光学素子の光学面（受光面や発光面）は前記筐体から外部に露出しており、外部へ発光したり、外部から受光したりすることが可能になっている。
【００１０】
本発明の選択的な一態様として、前記光学素子は、発光ダイオード、赤外線受光素子、光センサ、等としてもよい。
前記発光ダイオードは、本装置の起動状態を該発光ダイオードの点滅にて表す。なお点滅で起動状態を表すとは、点灯と消灯を交互に繰り返すことのみならず、点灯したままであったり、消灯したままであったりするなど、点灯と消灯とを適宜組合わせて起動状態を表すことを言う。
前記赤外線受光素子は受光した赤外線点滅信号に基づいて、所定のリモコンコード信号（例えば、パルス信号）を取得する。そして、本装置は、該リモコンコード信号に基づいて本装置を制御する手段を備える。すなわち、リモコン等から発せられた赤外線点滅信号に基づいて、本液晶表示装置の制御が可能である。
前記光センサは、受光量に応じた電気信号を発生し、本装置は、前記光センサの発する電気信号に応じて本装置を制御する手段を備えている。すなわち、液晶表示装置の周囲の明るさ、に応じて液晶表示装置の画面に表示される映像の明るさ制御や、その他の制御を実行可能になる。
【００１１】
本発明の選択的な一態様として、前記基板を多層基板とし、前記光学素子は、表面実装型の素子としてもよい。前記基板を多層基板とした場合、スルーホールを介して実装する方式では実装の手間が増大する。そこで、前記基板が多層基板である場合には、前記光学素子を表面実装型の素子（例えばチップＬＥＤ等）で構成する。このように構成することで開発効率が向上するし、前記基板に実装された部品高さも低くなることから基板レイアウトの自由度向上や省スペース化にも寄与する。
【００１２】
本発明の選択的な一態様として、前記基板はフレキシブル基板を介して前記液晶パネルのデータ線に接続されており、前記フレキシブル基板にはＣＯＦ（Chip On Film）にて前記データ線の駆動ドライバＩＣが搭載してもよい。通常、幅方向に広く高さ方向に狭い構造を持つ液晶表示装置において、データ線を駆動する基板は幅方向に長く形成され、液晶パネルの上下少なくとも一方に配置される。そこで、この基板を前記素子の搭載先とすることにより、筐体の画面上下枠部分の幅方向の何れの位置にも前記素子を配置可能になる。よって、前記素子のレイアウト自由度を向上し、レイアウト最適化を図れる。さらに、前記第２のケーブルをフレキシブル基板とし、該フレキシブル基板上にデータ線の駆動ドライバＩＣを搭載することにより、前記基板に形成する必要なる回路が減少して前記素子をレイアウトしやすくなる。
【００１３】
本発明の選択的な一態様として、前記基板は、前記液晶パネルの下面側に配置される構成としてもよい。通常、液晶表示装置の光学素子やスイッチや入出力端子等は、前記液晶パネルの画面よりも下の枠部に配置されることが多く、前記基板を前記液晶パネルの下側に配置することにより、本発明の素子も従来と同様の位置に配置される。
【００１４】
本発明の選択的な一態様として、前記基板はフレキシブル基板を介して前記液晶パネルのゲート線に接続されており、前記フレキシブル基板にはＣＯＦ（Chip On Film）にて前記ゲート線の駆動ドライバＩＣが搭載されてもよい。通常、幅方向に広く高さ方向に狭い構造を持つ液晶表示装置において、ゲート線を駆動する基板は高さ方向に長く形成され、液晶パネルの左右少なくとも一方に配置される。そこで、この基板を前記素子の搭載先とすることにより、筐体の画面左右枠の高さ方向の何れの位置にも前記素子を配置可能になる。よって、前記素子のレイアウト自由度を向上し、基板レイアウトの最適化を図れる。さらに、前記第２のケーブルをフレキシブル基板とし、該フレキシブル基板上にゲート線の駆動ドライバＩＣを搭載することにより、前記基板に形成する必要なる回路が減少して前記素子をレイアウトしやすくなる。
【００１５】
本発明の選択的な一態様として、前記液晶パネルは、該液晶パネルの光源とともに箱状の金属ケースに収容された状態で前記筐体に収容され、該金属ケースによって前記画面以外を覆われており、前記金属ケースには前記第２のケーブルを前記金属ケースから導出するための切欠きが形成されてもよい。すなわち前記切欠きを通して前記第２のケーブルを導出することにより、第２のケーブル長を短縮してコストダウン可能となる。また、前記基板のレイアウトもしやすくなる。
【００１６】
本発明の選択的な一態様として、前記基板には、映像信号の外部入出力端子が搭載されてもよい。前記基板に搭載する素子として、前記入力端子も配置可能であり、前面に入力端子を配置したいと言う要望に、容易に応えることができる。なお、前記基板へ前記入力端子を搭載するにあたり、前記光学素子も前記基板へ搭載しても構わない。
【００１７】
本発明の選択的な一態様として、前記基板には、本装置の主電源のオン／オフを切換えるスイッチが搭載されてもよい。前記基板に搭載する素子として、光学素子や外部入出力端子のみならず、主電源の投入状態を切換えるスイッチを採用してもよい。通常、筐体の前面側に配置される電源スイッチを前記基板に搭載することについてはなんら問題が無い。なお、前記基板へ前記スイッチを搭載するにあたっても、前記光学素子や外部入出力端子を前記基板へ搭載しても構わない。
【００１８】
本発明の選択的な一態様として、前記基板は、前記液晶パネルの下面側に配置される多層基板であり、前記素子は、表面実装型の発光ダイオードと赤外線受光素子であり、前記発光ダイオードは、本装置の起動状態を該発光ダイオードの点滅で表示し、本装置は、前記赤外線受光素子の受光した赤外線点滅信号に基づいて本装置を制御する手段を備え、前記基板はフレキシブル基板を介して前記液晶パネルのデータ線に接続されており、前記フレキシブル基板にはＣＯＦ（Chip On Film）にて前記データ線の駆動ドライバＩＣが搭載されており、前記液晶パネルは、該液晶パネルの光源とともに箱状の金属ケースに収容された状態で前記筐体に収容され、該金属ケースによって前記画面以外を覆われており、前記金属ケースには前記第２のケーブルを前記金属ケースから導出するための切欠きが形成されており、本装置においては、チューナから入力された放送信号に基づいて上記液晶パネルの画面に映像表示する構成としてもよい。該構成によれば、本発明の構成に対応した構成を有する、液晶テレビジョンを提供可能となる。
【００１９】
上述した液晶表示装置は、他の機器に組み込まれた状態で実施されたり他の方法とともに実施されたりする等の各種の態様を含む。また、本発明は前記液晶表示装置を備える液晶表示システム、等としても実現可能である。これら液晶表示システムの発明も、上述した作用、効果を奏する。むろん、請求項２〜１２に記載した構成も、前記システムに適用可能である。
【発明の効果】
【００２０】
以上説明したように本発明によれば、駆動基板を筐体から露出する素子の搭載先として有効活用し、基板数量を減少してコストダウンと開発効率の向上とを実現可能となる。
請求項２にかかる発明によれば、光学素子を駆動基板に搭載できる基板数量を減少してコストダウンと開発効率の向上とを実現可能となる。
請求項３にかかる発明によれば、起動状態を視聴者に知らしめつつ基板数量を減少してコストダウンと開発効率の向上とを実現可能となる。
請求項４にかかる発明によれば、赤外線リモコンによる制御を可能としつつ基板数量を減少してコストダウンと開発効率の向上とを実現可能となる。
請求項５にかかる発明によれば、周囲の明るさに応じた制御を可能としつつ基板数量を減少してコストダウンと開発効率の向上とを実現可能となる。
請求項６にかかる発明によれば、開発効率が向上するし、前記基板に実装された部品高さも低くなることから基板レイアウトの自由度向上や省スペース化にも寄与する。
請求項７にかかる発明によれば、前面に入力端子を配置したいと言う要望に、容易に応えることができる。
請求項８にかかる発明によれば、コストダウンやレイアウト自由度向上を実現しつつ、従来と同様の位置に電源スイッチを配置できるし、電源スイッチのレイアウト自由度も向上する。
請求項９にかかる発明によれば、光学素子をレイアウトしやすくなる。
請求項１０にかかる発明によれば、光学素子を従来と同様の位置に配置できる。
請求項１１にかかる発明によれば、光学素子をレイアウトしやすくなる。
請求項１２にかかる発明によれば、ケーブル長短縮によりコストダウンし、基板のレイアウトがしやすくなる。
請求項１３のような、より具体的な構成において、上述した請求項１〜４，６，９，１０，１２の各発明と同様の作用を奏することはいうまでもない。
【発明を実施するための最良の形態】
【００２１】
以下、下記の順序に従って本発明の実施形態を説明する。
（１）液晶表示装置の構成：
（２）各回路を搭載する基板：
（３）基板配置：
（４）まとめ：
【００２２】
（１）液晶表示装置の構成： 
図１は本実施形態に係る液晶テレビジョンの外観を示す斜視図、図２は本実施形態に係る液晶テレビジョンの電気的構成を示したブロック図、図３は液晶パネルと駆動回路の電気的構成を示したブロック図、である。
図１において、液晶テレビジョン１００は、液晶パネルの画面を矩形窓から露見させた筐体に各部品を収納しており、液晶パネル１６の画面が略鉛直に配向するようにスタンドで筐体を支持している。筐体の右側面には、ＨＤＭＩ（High-Definition Multimedia Interface）端子が設けられており、ＨＤＭＩに対応したデジタル家電から非圧縮デジタル音声・映像を入力し、高品質の映像表示並びに音声出力が可能になっている。
【００２３】
筐体の前面側において液晶パネル１６の画面を囲う枠状の部位（以下、枠部と記載する。）には、光学素子（ＬＥＤや赤外線受光素子や光センサ等）の光学面（受光面や発光面）を外部に露出させる孔が形成されている。この孔は、光を透過可能であればよく、筐体を貫通する孔であってもよいし、光学素子が対応する波長領域の光を透過可能な素材を嵌めこまれていてもよい。例えば、赤外光を透過しやすい物質又はコーティング膜を、前記枠部の所定位置に設けたり、その部位に孔を形成したりする。
【００２４】
また、図１に示すように、下枠部には、入力端子１３やＨＤＭＩ端子１１ａ等が設けられており、コンポーネント信号やＨＤＭＩ信号を入力し、これらの信号に基づく映像表示並びに音声出力が可能になっている。無論、各端子は、他の側面に設けられてもよい。また、図１に示すように、下枠部には、液晶テレビジョン１００全体の電源オン／オフを制御する電源スイッチ（タクトスイッチ、静電スイッチ等）が配置される。
【００２５】
図２において、液晶テレビジョン１００は、チューナ１０、ＨＤＭＩレシーバ１１、映像処理回路１２、コンポーネント端子やコンポジット端子等の映像音声信号の入力端子１３、駆動回路１４、音声処理回路１８、スピーカ２０、マイコン２２、電源回路２４、インバータ回路２６、バックライト２８、リモコン５０から受光した赤外線点滅信号を受信して点滅に対応したパルス状の電圧信号をマイコン２２に出力するリモコン受信部２３、カーソルキーやチャンネルキーを備えておりキー操作に対応する電圧信号をマイコン２２に出力する操作パネル３２、点灯／消灯で液晶テレビジョン１００の起動状態（オン／オフ／スタンバイ）を表示するＬＥＤ３４、を備える。
【００２６】
チューナ１０は選局された周波数のテレビ放送信号を受信する。より具体的には、チューナ１０は、マイコン２２の制御により、アンテナ１０ａを介して所望周波数のテレビジョン放送信号を受信し、所定の信号増幅処理等を行いつつテレビジョン放送信号から中間周波信号としての映像信号および音声信号を抽出し、映像信号を映像処理回路１２へ出力するとともに音声信号を音声処理回路１８に出力する。チューナ１０は、アナログ放送を受信可能なアナログチューナ、デジタル放送を受信可能なデジタルチューナ、アナログデジタル双方に対応したチューナ、の何れであってもよい。
【００２７】
ＨＤＭＩレシーバ１１は、ＨＤＭＩ端子１１ａを介して入力されるＨＤＭＩパケット化された音声データ及び映像データを受信して、音声データ及び映像データを復元する。復元された音声データや映像データはマイコン２２の制御に従って処理され、駆動回路１４や音声処理回路１８へ出力される。
【００２８】
映像処理回路１２は、テレビ放送信号から抽出した映像信号に各種映像処理を施す。より具体的には、映像処理回路１２は、入力された映像信号をその信号レベルに応じてデジタル化するとともに、映像信号から抽出した輝度信号と色差信号とに基づいてマトリクス変換処理を行い、画像データとしてのＲＧＢ（レッド、グリーン、ブルー）信号を生成する。そして、このＲＧＢ信号に対して液晶パネル１６の画素数（横縦比、ｍ：ｎ）に合わせたスケーリング処理を行って液晶パネル１６に表示する１画面分の画像データを生成し、生成された画像データを駆動回路１４に出力する。
【００２９】
駆動回路１４は、入力された画像データに基づいて液晶パネル１６の駆動データを生成し、この駆動データに基づいて液晶パネル１６の各表示セルを駆動することで画面に映像を表示する。液晶パネル１６は、マトリクス状に配列された液晶セルと、配列された液晶セルの各行毎に設けられる走査線と、配列された液晶セルの各列毎に設けられるデータ線と、各液晶セルに対応して設けられるスイッチ素子と、を有している。スイッチ素子は走査線とデータ線とを接続しており、接続されている走査線とデータ線とに電圧が印加されるとデータ線の電圧に応じた割合で液晶セルを開口させる。
【００３０】
より具体的には、図３に示すように、駆動回路１４は、タイミングコントローラ１４ａとソースドライバ１４ｂとゲートドライバ１４ｃと階調回路１４ｄとを備えている。タイミングコントローラ１４ａは、各種のタイミング制御信号を生成し、入力された画像データとともにタイミング制御信号をソースドライバ１４ｂやゲートドライバ１４ｃに出力する。
ゲートドライバ１４ｃは入力されたタイミング制御信号に基づいたタイミングで液晶パネル１６の各ゲート線を駆動する。ソースドライバ１４ｂは、各画素に対して入力された画像データの階調値に応じた階調電圧をタイミング制御信号に基づいたタイミングで液晶パネル１６の各ソース線に印加することにより、各ソース線を駆動する。ソースドライバ１４ｂは、階調回路１４ｄから供給される電圧に基づいて液晶パネルにて表現可能な各階調に対応する階調電圧を出力可能になっている。
【００３１】
階調回路１４ｄは、電源回路２４から供給される電源電圧に基づいて複数種類の電圧値を生成してソースドライバ１４ｂに供給する。階調回路１４ｄは、例えば、階調の基準電圧Ｖ０、Ｖ１、Ｖ２、Ｖ３、Ｖ４、Ｖ５、Ｖ６、Ｖ７の８つの電圧値を生成してソースドライバ１４ｂに供給する。ソースドライバ１４ｂは、これら基準電圧を適宜組み合わせることにより、入力される画像データの階調に応じた階調電圧を生成する。無論、階調回路１４ｄで、画像データの全階調に応じた階調電圧を生成してソースドライバ１４ｂに供給してもよい。
【００３２】
以上の構成により、液晶パネル１６は、駆動回路１４の複数のソースドライバ１４ｂにより、一水平期間毎に水平ライン１本分の駆動電圧が全ソース線が入力され、複数のゲートドライバ１４ｃにより一水平期間毎に１本のゲート線が順次駆動されていき、これらソース線とゲート線が交わる一水平ライン分の液晶セルが順次駆動され、表示動作が為される。
【００３３】
音声処理回路１８はテレビ放送信号から抽出した音声信号に各種音声処理を施してスピーカ２０に出力する。
電源回路２４は、商用電源などの交流電源から各種電圧を生成して液晶テレビジョン１００の各部に電源電圧を供給する。図２では、電源回路２４の電源供給先として、駆動回路１４とインバータ回路２６のみを図示してあるが、無論、その他の回路にも電源電圧を供給している。
【００３４】
インバータ回路２６は、バックライト２８を点灯させる。より具体的には、インバータ回路２６は、電源回路２４から直流電圧を供給され、この直流電圧から高周波かつ高圧の交流電圧を生成してバックライト２８に供給する。バックライト２８は、例えば、複数の蛍光管（冷陰極蛍光管等）を有し、インバータ回路２６から供給された交流電圧で点灯して液晶パネル１６を背面から照射する。なお、本実施形態においては、光源として蛍光管を採用して説明を行ったが、無論、ＬＥＤを用いてもよいし、外光を反射して光源とする反射型であってもよい。また、本実施形態においては、バックライト方式を採用して説明を行ったが、フロントライト方式やサイドライト方式を用いても無論構わない。
【００３５】
マイコン２２は、液晶テレビジョン１００を構成する各部と電気的に接続しており、液晶テレビジョン１００全体を制御する。マイコン２２はＣＰＵ２２ａとＲＡＭ２２ｂとＲＯＭ２２ｃと入出力回路（Ｉ／Ｏ）２２ｄとを備えており、ＣＰＵ２２ａがＲＯＭ２２ｃに書き込まれたプログラムをワークエリアとしてのＲＡＭ２２ｂに読み込み、各種プログラムを実行して液晶テレビジョン１００全体を制御する。
また、マイコン２２は、例えばＩ／Ｏ２２ｄがリモコン受信部３０や操作パネル３２と接続されており、ユーザのリモコン操作に対応する操作入力や、ユーザの行う操作パネルの操作入力が入力される。マイコン２２は、これら操作入力に基づいてチャンネル選局や音量調節や画質調整等の制御処理を実行する。
【００３６】
（２）各回路を搭載する基板：
液晶テレビジョン１００は、概略、映像／音声信号処理や各種電源電圧の生成を行う電源回路２４等が搭載された基板Ａと、インバータ回路２６が搭載されるインバータ基板Ｂと、液晶パネル１６の駆動線に接続される基板Ｃ（ソース基板Ｃ１やゲート基板Ｃ２等）と、を備える。本実施形態において、基板Ａには、チューナ１０、映像処理回路１２、音声処理回路１８、マイコン２２、電源回路２４、タイミングコントローラ１４ａが搭載される。本実施形態において、基板Ｃ１にはソースドライバ１４ｂと階調回路１４ｄが搭載され、基板Ｃ２にはゲートドライバ１４ｃが搭載される。
【００３７】
図４は、液晶パネル１６とバックライト２８と各基板Ａ〜Ｃの位置関係を示す模式的な断面図である。同図に示すように、液晶パネル１６の背面側に機能性調光シートを挟んでバックライト２８が配置され、これらの背面側から箱状の金属ケースＰが覆っている。金属ケースＰは、概略、液晶パネル１６の前面側の映像表示エリアを除く上下左右端と上下左右側面と後面とを覆っており、たとえば図７に示すように金属ケースＰの下端に形成された切欠きを通して液晶パネル１６に接続されたフレキシブル基板が導出されて、ソース基板Ｃ１へ接続される。ソース基板Ｃ１は、光学素子が搭載された面を筐体前面の内側面に向けて配置されている。金属ケースＰの背面側には基板Ａ，Ｂが配置される。本実施形態においては液晶パネル１６、バックライト２８、機能性調光シート等は、金属ケース内に収納されて一体的に扱えるようになっているが、無論、一体的に扱えないものであっても本発明を適用可能である。
【００３８】
なお、図４においては、ソース基板Ｃ１は液晶パネル１６の下側にのみ配置してあるが、図５に示すように液晶パネル１６の上側に配置してもよいし、液晶パネルの上下双方に配置してもよい。ソース基板Ｃ１を液晶パネル１６の上下両側に配置した場合は、データ線の上下両端から駆動電圧を印加することになり、駆動対象となる液晶素子をより確実に目的の開口率に駆動できるという従来あるメリットに加えて、後述のようにソース基板Ｃ１に光学素子等を配置する場合にレイアウトの自由度が向上するというメリットがある。なお、図４，図５には示していないが、ゲート基板Ｃ２についても、液晶パネル１６の左右側面の少なくとも一方に配置されており、ゲート基板Ｃ２に光学素子を搭載した場合にはソース基板Ｃ１に光学素子を搭載した場合と同様の作用効果を奏する。
【００３９】
本実施形態においてソースドライバ１４ｂはＩＣ化されており、ＩＣ１個で液晶パネルの複数のソース線を駆動する。ソースドライバＩＣが複数個設けられることにより液晶パネル１６の全ソース線を駆動可能になる。なお、ソース基板Ｃ１と液晶パネル１６との接続にフレキシブル基板（フィルム状インターフェース）を採用し、このフレキシブル基板上にＣＯＦ（Chip On Film）でソースドライバＩＣを実装してもよい。また、液晶パネル１６のガラス基板上にＣＯＧ（Chip On Glass）でソースドライバＩＣを搭載することも可能である。ＣＯＦやＣＯＧでソースドライバＩＣを実装するとプリント基板の面積が少なくなるので、コストダウン、省スペース化等の効果が見込める。このフレキシブル基板が第２のケーブルに相当する。
【００４０】
本実施形態においてゲート基板Ｃ２には、ゲートドライバ１４ｃが搭載される。なお、ゲート基板Ｃ２と液晶パネル１６との接続ラインにも、ソース基板Ｃ１と同様に、フレキシブル基板を採用してＣＯＦでゲートドライバＩＣを実装したり、液晶パネル１６のガラス基板上にＣＯＧでゲートドライバＩＣを実装したりしてもよい。
【００４１】
なお、以下に説明する本実施形態においては、ソース基板Ｃ１に光学素子を搭載する場合を例にとって説明するが、無論、ゲート基板Ｃ２においても同様の実装が可能である。ここで言う光学素子とは、ＬＥＤ３４、リモコン受信部３０の赤外線受光素子、光センサ等であり、光（可視光のみならず、赤外光等を含む。）を受信したり発信したりすることが可能な素子を言う。例えば、ソース基板Ｃ１上に配置されたＬＥＤ３４は筐体に形成された孔を通して液晶テレビジョン１００の前面から光を放射し、リモコン受信部３０の赤外線受光素子は筐体に形成された孔を通して液晶テレビジョン１００の前面に向けて送信されてくる赤外線にて表現されたリモコンコード信号を受信する。
【００４２】
ソース基板Ｃ１は、光学素子が実装された側の面を筐体内面に向けて配置される。このときソース基板Ｃ１は、その実装面が、筐体内面や液晶パネル１６の表示面と略平行になるように配置される。仮に、ソース基板Ｃ１の基板面を液晶パネル１６の表示面に対して略垂直となるように配置した場合、赤外線信号の受信効率を考慮して赤外線受光素子をソース基板Ｃ１の前端に配置して受光面を前方に向けて配置したり、ＬＥＤの足を屈曲させたりする工夫が必要になる。これに対し、本実施形態の配置であれば、光学素子をソース基板上の何れの部位に搭載してもよく、ソース基板Ｃ１における回路素子レイアウトの自由度が向上する。
【００４３】
また、従来、光学素子は液晶パネル１６を囲う筐体前面の枠部に配置されており、特に下枠もしくは上枠部分に配置されることが多い。ソース基板Ｃ１も液晶パネル１６の上下枠の少なくとも一方に配置されるものであり、液晶パネル１６の画面幅方向に長い基板である。従って、ソース基板Ｃ１に搭載された光学素子は、従来のように光学素子専用基板を設ける方法に比べてレイアウトの自由度が向上する。
【００４４】
さらにソース基板Ｃ１が多層基板の場合は、ソース基板Ｃ１に搭載する光学素子は、表面実装型の部品とすると好適である。表面実装部品は、リフローで実装可能だからである。
【００４５】
光学素子への電源供給や制御信号入力、光学素子からの出力信号等は、基板Ａとソース基板Ｃ１との接続ケーブルを通して伝送される。この接続ケーブルが第１のケーブルに相当する。従来、基板Ａとソース基板Ｃ１とは、画像データや制御信号や電源電圧を供給するケーブルで接続されている。光学素子に入出力する信号は基本的に直流に近いので、従来あるケーブルの空き線を利用したり、伝送線を増やしたケーブルに変更したりして、従来のケーブル数やコネクタ数を変更することなく光学素子の搭載に対応可能である。
【００４６】
さらに、ソース基板Ｃ１には、センサ類を搭載してもよい。センサ類とは、例えば液晶テレビジョン１００周囲の明るさ（明度・照度・輝度・光度等）を検知したり液晶テレビジョン１００の前面側に人が存在するか否かを光で検知したりするセンサである。具体的には、光センサ、温度センサ、赤外線センサ、超音波センサ等が考えられる。センサ類についても、表面実装部品とすると多層基板への実装が容易になる。例えば、光センサであれば、取得した受光量を電気信号に変換してマイコン２２に出力する。マイコン２２は、例えばＩ／Ｏ２２ｄを介してこの電気信号を取得して、液晶テレビジョン１００の周囲の明るさに応じて、液晶表示装置の画面に表示される映像や該映像の明るさ制御やその他の制御を実行可能である。
【００４７】
さらに、ソース基板Ｃ１には、外部入出力端子を搭載してもよい。外部入出力端子とは、コンポジット端子やコンポーネント端子等の入力端子１３やＨＤＭＩ端子１１ａ等であり、前述した入力端子１３に加えて映像信号や音声信号を外部機器へ出力するための出力端子を備えてもよい。映像や音声を出力する場合は、出力端子の規格に準じた映像信号や音声信号に変換する機能をマイコン２２もしくは専用の回路やＩＣで実現する。ＨＤＭＩの出力端子を搭載する場合は、ＨＤＭＩトランスミッタも必要になる。また、ＨＤＭＩの入力端子もしくは出力端子については、ＨＤＭＩトランスミッタやレシーバまでの伝送距離に応じて適宜リピータを設けて、減衰した伝送信号を復元して長距離伝送に対応する。さらに、ソース基板Ｃ１には、主電源のスイッチを搭載しても無論構わない。
【００４８】
以上のように、光学素子、センサ類、外部入出力端子、スイッチ等をソース基板Ｃ１に搭載することにより、専用基板、専用接続ケーブル、これらの実装費や管理コスト、が不要になる。よってコストダウンのみならず設計効率や製造効率も向上する。
【００４９】
ところで、基板Ａは、１枚の基板上に形成されてもよいが、例えば、高周波信号を処理する回路はＥＭＩ防止のために多層基板Ａ１に搭載し、ＥＭＩの少ない回路については単層基板Ａ２に搭載する等のように複数基板に振分けて搭載してもよい。周波数特性に応じて単層基板Ａ２と多層基板Ａ１とに回路を振分けることにより、ＥＭＩ防止とコストダウンとを効率的に実現可能となる。この基板Ａもしくは基板Ａ１が主基板に相当する。
【００５０】
本実施形態において単層基板Ａ２に搭載される回路は、主として、電源回路２４と、音声処理回路１８であり、コンポーネント端子等のアナログ信号を入力する入力端子１３も搭載される。なお、入力されたアナログ映像信号をアナログ的に映像信号処理してからＡ／Ｄ変換するのであれば、映像処理回路のアナログ処理部分も単層基板Ａ２に搭載することになる。
【００５１】
本実施形態において多層基板Ａ１に搭載される回路は、主として、映像処理回路１２、ＨＤＭＩレシーバ１１、タイミングコントローラ１４ａ、ＬＶＤＳトランスミッタ１４ｅ、デジタル放送を受信可能なチューナ１０、ＨＤＭＩ端子１１ａ、ＬＶＤＳコネクタ１４ｇである。ＬＶＤＳトランスミッタ１４ｅは、タイミングコントローラ１４ａから出力された画像データとタイミング制御信号をシリアル信号に変換してＬＶＤＳコネクタ１４ｇに出力する。ＬＶＤＳコネクタ１４ｇは、ソース基板Ｃ１上に搭載されたＬＶＤＳコネクタ１４ｈとＬＶＤＳケーブルで接続されており、ＬＶＤＳトランスミッタ１４ｅの出力するシリアル信号は、ソース基板Ｃ１上のＬＶＤＳレシーバ１４ｆにて復元される。
【００５２】
なお、多層基板Ａ１とソース基板Ｃ１とを接続するインターフェースはＬＶＤＳに限るものではなく、単位時間あたりのデータ転送が高速な伝送ラインであれば様々なものを採用可能である。例えば、ＬＶＤＳに代えて、ｍｉｎｉ−ＬＶＤＳやＶ−ｂｙ−Ｏｎｅ（Ｒ）ＨＳ等のようにさらに低消費電力・低ＥＭＩを実現したインターフェースを採用してもよく、これらを用いることによりさらなる省スペース、低消費電力、低ＥＭＩも実現可能である。
【００５３】
（３）基板配置：
ここで、図５、図６に示してある基板Ａ１，Ａ２の配置について説明する。ただし、この基板レイアウトは一例であり、本発明はこれに限定されるものではない。
図５は、金属ケースＰの背面と上面側における基板配置を示す模式図である。同図に示すように、金属ケースＰの背面側には、一方の端（以下の説明においては、図５に合わせて右端として説明する。）に寄せてインバータ基板Ｂが配置され、他方の端（以下の説明においては、図５に合わせて左端として説明する。）に寄せて多層基板Ａ１を配置し、インバータ基板Ｂと多層基板Ａ１の間のスペースに単層基板Ａ２を配置してある。ソース基板Ｃ１は液晶パネル１６の上面もしくは下面（以下の説明においては、図５に合わせて上面として説明する。）に配置されており、多層基板Ａ１と単層基板Ａ２は、ソース基板Ｃ１の配置された側の端に寄せて配置されている。
【００５４】
ソース基板Ｃ１において多層基板Ａ１と近接する部位にはＬＶＤＳコネクタ１４ｇが搭載されており、ＬＶＤＳケーブルで多層基板のＬＶＤＳコネクタ１４ｈと接続されている。ソース基板Ｃ１において単層基板Ａ２と近接する部位には電源コネクタ１４ｉが搭載されており、ケーブルで単層基板Ａ２の電源コネクタ２４ａと接続されている。このようにソース基板Ｃ１において電源コネクタ１４ｉをＬＶＤＳコネクタ１４ｈとは別に設けることにより、多層基板Ａ１を経由することなく電源回路２４からソース基板Ｃ１へ電源供給可能となり、多層基板Ａ１の基板面積を抑えることができる。
【００５５】
多層基板Ａ１に搭載されるＨＤＭＩ端子１１ａは、基板の左端に寄せて搭載されており、筐体に形成された孔を通してＨＤＭＩケーブルを接続可能になっている。多層基板Ａ１の左端にＨＤＭＩ端子を配置することにより、筐体の左側面の孔から容易にＨＤＭＩケーブルを挿抜できるようになる。
【００５６】
液晶モジュール単体で最適化された場合のように、中央上端付近から延出されるＬＶＤＳケーブルに合わせて多層基板を中央付近に配置した場合は、筐体の左側面にＨＤＭＩの口を形成するときに多層基板までＨＤＭＩ信号を伝送するためにＨＤＭＩケーブルとリピータ等で伝送距離を延長しなければならない。本実施形態においては、ＨＤＭＩ端子を多層基板Ａ１上に配置できるので、ＨＤＭＩのケーブルやリピータの追加によるコストアップを回避できる。
【００５７】
さらに単層基板Ａ２と多層基板Ａ１を左右に並べて配置するので、電源回路２４の上方に多層基板Ａ１が位置することが無く、電源回路２４の発熱で映像処理回路１２や駆動回路１４が煽られる心配がない。多層基板Ａ１を単層基板Ａ２の上方に配置していた従来においては、電源回路の発熱が大きなときには、例えば、多層基板Ａ１の映像処理回路を構成する制御ＩＣや駆動回路１４を構成するタイミングコントローラ等のように熱上昇に弱い回路素子を熱から守るために、ヒートシンクつけたり囲いを設けて熱風が回路素子に当らないようにしたりする等の工夫が必要になっていた。なお、図６においては、ソース基板Ｃ１の配置場所として液晶パネル１６の上面側を採用して説明したが、電源回路２４の熱による多層基板Ａ１に対する煽りを防止する意味では、図５に示すようにソース基板Ｃ１を液晶パネル１６の下面側に配置した方が好適である。
【００５８】
さらに、液晶パネルの種類毎に必要な階調電圧が異なることから、階調回路１４ｄを単層基板Ａ２に搭載すると電源回路２４の汎用性が失われるが、階調回路１４ｄをソース基板Ｃ１に搭載すると電源回路２４の汎用性が向上し、単層基板Ａ２に搭載される回路については液晶パネルの種類に影響されること無く共通化可能になる。すなわち、単層基板Ａ２を液晶パネルの種類毎に設計変更する必要がなくなる。
【００５９】
また、図５、図６のように、ソース基板Ｃ１のうちプリント配線板に形成される部位を２つに分割し、基板間をケーブルで接続してもよい。この場合、一方の基板に入力された電源や映像データは、ケーブルを介して他方の基板に伝送されることになる。このようにソース基板Ｃ１を分割するメリットとしては、基板面積を必要最小限に止めてコストダウンする点にある。すなわち、ソース基板Ｃ１で処理される信号は高周波なので、一般に多層基板で作成される。しかしながら、階調回路１４ｄの占有する面積はそれほど広くないし、ソースドライバ１４ｂもＩＣ化されると占有面積は少ない。さらに、前述のようにＣＯＦでソースドライバＩＣをフィルム状インターフェース上に搭載した場合は、ますます多層基板で回路形成される面積は少なくなる。このような場合に、基板を２つに分けて各基板が担当するソース線群の略中央に各ソース基板を配置することにより、ソース線多層基板の総面積が少なくできる。無論、ソースドライバＩＣの数以下であれば、２分割以上の複数に分割しても構わない。
【００６０】
（４）まとめ： 
以上説明したように、本実施形態にかかる液晶テレビジョンによれば、筐体に収容した液晶パネル１６の画面を外部に露見させた液晶テレビジョン１００において、基板ＡからＬＶＤＳケーブルを介して液晶パネル１６のデータ線の駆動データを入力されており、データ線にフレキシブル基板を介して接続されたソース基板Ｃ１を備え、ソース基板Ｃ１は、筐体から露出される素子（前記液晶パネルを除く）が搭載されており、筐体から露出される素子搭載された面を筐体前面の内側面に向けて配置されており、筐体の前面には前記素子を外部に露出させる孔が形成されている。よって、駆動基板を筐体から露出する素子の搭載先として有効活用した液晶テレビジョンを提供することができる。
【００６１】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【図面の簡単な説明】
【００６２】
【図１】液晶テレビジョンの外観を示す斜視図である。
【図２】液晶テレビジョンの電気的構成を示したブロック図である。
【図３】液晶パネルと駆動回路の電気的構成を示したブロック図である。
【図４】基板等の位置関係を示す模式的な断面図である。
【図５】金属ケースの背面と上面側における基板配置を示す模式図である。
【図６】金属ケースの背面と下面側における基板配置を示す模式図である。
【図７】金属ケースの切欠きを説明する部分斜視図である。
【符号の説明】
【００６３】
１０…チューナ、１０ａ…アンテナ、１１…ＨＤＭＩレシーバ、１１ａ…ＨＤＭＩ端子、１２…映像処理回路、１３…入力端子、１４…駆動回路、１４ａ…タイミングコントローラ、１４ｂ…ソースドライバ、１４ｃ…ゲートドライバ、１４ｄ…階調回路、１４ｅ…ＬＶＤＳトランスミッタ、１４ｆ…ＬＶＤＳレシーバ、１４ｇ…ＬＶＤＳコネクタ、１４ｈ…ＬＶＤＳコネクタ、１４ｉ…電源コネクタ、１６…液晶パネル、１８…音声処理回路、２０…スピーカ、２２…マイコン、２２ａ…ＣＰＵ、２２ｂ…ＲＡＭ、２２ｃ…ＲＯＭ、２２ｄ…Ｉ／Ｏ、２４…電源回路、２４ａ…電源コネクタ、２６…インバータ回路、２８…バックライト、３０…リモコン受信部、３２…操作パネル、３４…ＬＥＤ、５０…リモコン、１００…液晶テレビジョン、Ａ１…多層基板、Ａ２…単層基板、Ｂ…インバータ基板、Ｃ１…ソース基板
【図１】
2010139771.tif 000003
【図２】
2010139771.tif 000004
【図３】
2010139771.tif 000005
【図４】
2010139771.tif 000006
【図５】
2010139771.tif 000007
【図６】
2010139771.tif 000008
【図７】
2010139771.tif 000009